(57)【要約】      （修正有）【課題】可動する移動可能な光学部品の基準位置検出を極めて高精度で実現する光学的情報記録再生装置を提供すること。【解決手段】レーザ１からの光束を情報記録媒体１３に集光し、その情報記録媒体１３上に情報の記録再生を行う光学的情報記録再生装置において、可動する移動可能な光学部品６と、可動する移動可能な光学部品６と連動する遮光体８と、レーザ光の出力を制御するための受光面と、位置検出のための受光面を備える光検出器４を備えることにより、所定のレベルを検出し、可動部移動可能な光学部品６の基準位置検出を行う。又、位置検出用の受光面をレーザ制御用の光検出器４上に設けることにより、部品を削減し増やすことなく、より簡便な構成で可動部移動可能な光学部品６の基準位置検出を行う。【選択図】図１
2006127693.tif 000002
【特許請求の範囲】
【請求項１】
レーザからの光束を情報記録媒体に集光し、該情報記録媒体上に情報の記録再生を行う光学的情報記録再生装置であって、
可動する移動可能な光学部品と、前記光学部品と連動する遮光体と、前記レーザ光の出力を制御するための第１の受光面を備える光検出器と、前記第１の受光面に入射する光量と略比例する光量を有する光束の少なくとも一部を受光する第２の受光面を備え、前記遮光体により前記第２の受光面に入射する光量を変化させ、遮光の有無によって、前記第２の受光面の出力が所定のレベルになった時を検出し、前記可動する移動可能な光学部品の基準位置とすることを特徴とする光学的情報記録再生装置。
【請求項２】
前記第２の受光面が前記第１の光検出器上にあることを特徴とする請求項１記載の光学的情報記録再生装置。
【発明の詳細な説明】
【技術分野】
【０００１】
本発明は、可動する移動可能な光学部品の基準位置を正確に検出可能な光ディスク装置等の光学的情報記録再生装置に関する。
【背景技術】
【０００２】
光学的情報記録媒体の大容量化への要求は年々高まっている。高密度の情報記録、再生を可能にするため、光ヘッドの対物レンズは高ＮＡ化、短波長化が進み、最近ではＮＡ０．８５、波長４０５ｎｍのシステムが実用化されるに至っている。
【０００３】
高ＮＡ化、短波長化に伴い、基板厚の誤差や、２層媒体時の層間移動によって生じる球面収差は増大し、安定な記録再生を行うためにはその補正が必要となっている。
【０００４】
球面収差の補正方法としては、例えば特許文献１に開示されているように、光路中にエキスパンダを配置し、構成するレンズの１つを光軸に沿って移動させる方法がある。移動する光学部品の基準位置検出手段として、例えば特許文献１，２に開示されているように、ＬＥＤとフォトダイオードを対向させたフォトセンサを用いる方法がある。
【０００５】
上記従来技術に関して簡単に説明する。
【０００６】
図４に示すように、ステッピングモータ２２が設けられ、リードスクリュー２３、ラック２４を介して、エキスパンダレンズ１６の凹レンズ１６ａが駆動される。そして、凹レンズ１６ａのホルダー２５ａに固定された遮光体がフォトセンサ２８から離れている場合、フォトセンサ２８内のＬＥＤの放射光が遮られることなくフォトダイオードに入射する。このときのフォトセンサの出力をハイレベルとする。
【０００７】
一方、遮光体が移動し、ＬＥＤとフォトダイオードの間に入ることによって、ＬＥＤの放射光が遮断される。このときのフォトセンサ２８の出力レベルがローレベルとなる。こうして、ハイレベル、ローレベル間の所定のレベルを検出することにより、可動部の基準位置が検出される。
【０００８】
【特許文献１】特開２００３−０９１８４７号公報
【特許文献２】特開２００３−１３１１１３号公報
【発明の開示】
【発明が解決しようとする課題】
【０００９】
しかし、上記のようなフォトセンサを用いる方法の場合、温度変化等により出力レベルが変動することにより、検出位置にバラツキが生じてしまい、高精度の位置再現性が求められる場合、この誤差が致命的となる可能性がある。又、フォトセンサを位置検出部品として追加することは、レイアウトが複雑化し、光ヘッドの大型化、フォトセンサの位置調整及び部品増によるコストアップとなるという問題があった。
【００１０】
本発明は上記問題に鑑みてなされたものであり、可動する移動可能な光学部品の基準位置検出を極めて高精度で実現する光学的情報記録再生装置を提供することを目的とする。
【課題を解決するための手段】
【００１１】
上記目的を達成するため、本発明は、レーザからの光束を情報記録媒体に集光し、その情報記録媒体上に情報の記録再生を行う光学的情報記録再生装置において、可動する移動可能な光学部品と、可動する移動可能な光学部品と連動する遮光体と、レーザ光の出力を制御するための受光面と、位置検出のための受光面を備える光検出器を備えることにより、所定のレベルを検出し、可動部移動可能な光学部品の基準位置検出を行う。又、位置検出用の受光面をレーザ制御用の光検出器上に設けることにより、部品を削減し増やすことなく、より簡便な構成で可動部移動可能な光学部品の基準位置検出を行う。
【００１２】
こうすることにより、簡便な構成で可動部移動可能な光学部品の高精度な基準位置検出が可能となる。
【発明の効果】
【００１３】
本発明によれば、部品点数を削減しつつ、可動する移動可能な光学部品の基準位置を高精度で検出することができるため、安価で高性能な光学的情報記録再生装置を提供することができる。
【発明を実施するための最良の形態】
【００１４】
以下に本発明の実施の形態を添付図面を参照しながら詳細に説明する。
【００１５】
図１は本実施の形態に係る光ピックアップの概要を示す図である。
【００１６】
半導体レーザ１からの出射光は、偏光ビームスプリッタ２に入射される。偏光ビームスプリッタ２では、入射光の一部が反射され、レンズ３を介して光検出器４に入射し、半導体レーザ１からの出射光の強度のモニタ等に利用される。
【００１７】
一方、偏光ビームスプリッタ２を透過した光は、１／４波長版波長板５を経て２群コリメータ６に入射する。２群コリメータ６は、２群目のレンズ６ａ，６ｂが光軸方向に可動となっている。この可動レンズのホルダー７は、遮光体８が固定されており、更に、ステッピングモータ９のリードスクリュー１０にラック１１を介して係合されている。
【００１８】
そして、２群コリメータ６からの光束は、対物レンズ１２によって光ディスク１３上に集光され、情報の記録再生が行われる。
【００１９】
又、光ディスク１３からの反射光は、２群コリメータ６、１／４波長板５を通り、偏光ビームスプリッタ２を反射される。センサレンズ１４を透過し、光検出器１５に入射され、その出力より光ディスク１３上の情報に応じた信号が生成される。２群コリメータ６は、レンズ間隔を変化させることによって、透過層厚誤差や２層媒体の層間移動時によって生じる球面収差を補正する。
【００２０】
図２は本実施の形態に係る光検出器４の受光面を示す図である。
【００２１】
受光面４ａは、レーザ光のＡＰＣ制御を行うための光を検出する受光面である。受光面４ｂは、位置検出のための受光面となっており、光検出器に導かれる光束１６の一部を受光するように配置されている。又、可動部に固定された遮光体は、この受光面４ｂに入射する光束を遮るような往復動作ができるように配置されている。
【００２２】
次に、２群目のレンズ６ａ，６ｂの基準位置までの移動のフローについて説明する。
【００２３】
本実施の形態においては、受光面４ａからの出力は半導体レーザ１の出力制御に使用され、受光面４ｂからの出力が基準位置検出用に使用される。受光面４ｂからの出力と、２群目のレンズ６ａ，６ｂの位置の関係を図３に示す。
【００２４】
そして、そのときの受光面４ｂからの出力を、ハイレベルとローレベルの間の予め設定された値と比較し、高ければ半導体レーザ１側へ、低ければ対物レンズ１２側へ２群目のレンズ６ａ，６ｂが移動するようにステッピングモータ９を駆動制御する。そして、所定の値になったところで、ステッピングモータ９の回転を停止する。この位置を２群目のレンズ６ａ，６ｂの基準位置とする。このようにして基準位置を決定すれば受光面４ｂに入射する光束はＡＰＣ制御が掛けられた光束であり、周囲温度変化による光量変動、或は波長変動等の影響を全く受けることがなく基準位置が決定できる。
【００２５】
このようにして、極めて高精度に所定の基準位置へ移動を検出することが可能となった。
【００２６】
更に、本実施の形態においては、ＡＰＣ制御用センサ上の受光面を用いることにより、位置検出のための受発光素子等を新たに設ける必要はなく、部品点数を削減することができた。
【００２７】
更に、光検出器４は元々、他の光学部品及び入射光束に対し精度良く位置調整されており、受光面４ｂを追加したことにより、新たに位置調整が必要になることはない。
【００２８】
ここで、上記位置検出方法の光ディスク記録再生装置での運用について説明する。
【００２９】
記録再生開始位置等は、基準位置からのパルス数として工場出荷時に記憶されており、ディスク１３が装填されると、上記フローに基づき、先ず基準位置に移動し、そこからの所定のパルスを印加することにより、記録再生開始位置に移動を行う。次に、ディスク透過層厚バラツキによる補正量を算出し、その移動量に当たるパルス数をステッピングモータ９に印加することによって補正を行う。或は、上記基準位置を出発点として、パルス数と再生信号品位と関係より最良の信号品位となるパルス数を知り、そのパルス数ステッピングモータ９に印加することによって補正を行う。
【００３０】
こうして、上述の光学的情報記録再生装置によれば、可動する移動可能な光学部品と連動する遮光体と、レーザ光の出力を制御するための受光面と、位置検出のための受光面を備える光検出器を備えることにより、所定のレベルを検出し、可動部移動可能な光学部品の高精度な基準位置検出が可能となるものである。
【図面の簡単な説明】
【００３１】
【図１】本発明に係る光学的情報記録再生装置の構成図である。
【図２】本発明の実施の形態に係る光検出器の図である。
【図３】検出器出力と２群目のレンズの位置関係を示す図である。
【図４】従来の光学的情報記録再生装置の斜視図である。
【符号の説明】
【００３２】
１    半導体レーザ
２    偏光ビームスプリッタ
３    レンズ
４    光検出器
５    １／４波長板
６    ２群コリメータ
７    ホルダー
８    遮光体
９    ステッピングモータ
１０  ラック
１１  リードスクリュー
１２  対物レンズ
１３  光ディスク
１４  センサレンズ
１５  光検出器
１６  光束
【図１】
2006127693.tif 000003
【図２】
2006127693.tif 000004
【図３】
2006127693.tif 000005
【図４】
2006127693.tif 000006